(57)【要約】      （修正有）【課題】音波及び振動を減衰する材質で作られたシートの表面若しくは裏面に意匠を施して渦巻状に巻き上げてなる円筒形筒体でエンクロージャーを構成して、デザインの変更及び常に出力音声を高忠実度再生することを可能なスピーカ装置を提供する。【解決手段】音波及び振動を減衰する材質である吸音材シートを重層構造に巻き上げてなる渦巻状円筒形筒体をピン又はバンドで固定したエンクロージャー上にスピーカーユニット２のフランジ８を設置し、スピーカーユニット２からの出力音声を吸音材に吸収して、出力音声を高忠実度再生音声にする。重層構造に巻き上げられた該吸音シート１，１０，１１は、絨毯を連結したシートを渦巻き状に構成してなり、汚損等に対応して別のシートと交換容易とし、その表面若しくは裏面に衣装を施してデザイン性の向上を図ることもできる。【選択図】図１
0003144377.tif 000002
【実用新案登録請求の範囲】
【請求項１】
音波及び振動を減衰する材質である複数シートを連結して該シートを複数層に巻き上げ、シートの巻き上げが解けるのを防止するためにシートにピンを差込み又はバンドを巻いて渦巻状に固定してなる円筒形状筒体に構成したエンクロージャーの概筒体の上面又は下面にスピーカーユニットを設置することを特徴とするスピーカー装置。
【請求項２】
請求項１に記載の音波及び振動を減衰する材質である複数シートはＡ，Ｂ，Ｃからなる絨毯を連結したシートを渦巻状筒体に構成したエンクロージャーであることを特徴とするスピーカー装置。
【請求項３】
請求項１に記載の音波及び振動を減衰する材質である複数シートはＤ，Ｅ，Ｆ，Ｇからなる絨毯を背中合わせにして連結したシートを渦巻状筒体に構成したエンクロージャーであることを特徴とするスピーカー装置。
【請求項４】
請求項１に記載のエンクロジャーの下面に設けたスピーカーユニット２を吊り下げ紐１６で天井１７に吊り下げ、スピーカー装置を天井に設置して吊り下げて使用できるようにしたことを特徴とするスピーカー装置。
【請求項５】
請求項１に記載の音波及び振動を減衰する材質である複数シートを連結したシートの表面若しくは裏面に意匠のデザインを施したことを特徴とするスピーカー装置。
【請求項６】
請求項１に記載の音波及び振動を減衰する材質である複数シートを連結したシートの表面及び裏面に意匠のデザインを施したことを特徴とするスピーカー装置。
【請求項７】
請求項１乃至３、請求項５乃至６のいずれかに記載の音波及び振動を減衰する材質である複数シートを連結したシートは、絨毯、タオル製マット、樹脂マット、ポリ塩化ビニルシート、不織布マット、スポンジシートのいずれか一の材質で製作されたシートの表面若しくは裏面に意匠のデザインを施してあるものであることを特徴とするスピーカー装置。
【考案の詳細な説明】
【技術分野】
【０００１】
本考案は、スピーカーユニットより再生される音声を高忠実度再生することが容易な軽量なスピーカー装置に関するものである。
【背景技術】
【０００２】
音響装置の中で、スピーカー装置は、必要な高品質音声を再生できるので、オーディオ機器の出力部に連結する拡声器として実用に共されている。
実用のスピーカー装置は、出力部から再生された音声を拡声器で再生され、この拡声器を囲うエンクロージャーはスピーカーボックスの材質によって音波を発し及び振動して生じる雑音を吸収することを考慮して吸音材を内張りしてあった。エンクロージャーの内面に極力音波及び振動を減衰する効果のある材質を張って、スピーカーボックスのエンクロージャー内側で反響音を吸収して音声を高忠実度再生することができる実用上の目的があった。
【０００３】
しかし、音声の高忠実度再生の目的に適応するには、合成樹脂製或いは木製のスピーカーボックスは高忠実度再生を実現し且つ透明な、音声の乱れを生じにくくするため音波及び振動の吸収可能な柔軟な材質を内張りした表面積を十分に確保する必要がある。音波及び振動を減衰する材質である吸音材だけでは減衰しきれない場合、合成樹脂製若しくは木製のスピーカーボックスから音波及び振動により雑音として発生させるので、この雑音は低音と高音の境目近傍を耳で聴いて確認できにくい阻害要因となる欠点があった。
【０００４】
音声を高忠実度再生するスピーカー装置をオーディオ機器の部品として利用する用途において、この欠点は耳で聞き取ることができる音声を聞きわける可聴性に関して大きな障害である。具体的には、スピーカーボックスから不必要な音波及び振動をも発生したり、低音と高音との音域では再生音の透明感が欠けたり、あるいは、合成樹脂製或いは木製キャビネットの振動によって生じる雑音により音声の忠実な再生が困難になるので聞き取りにくくなるなどの問題があった。なぜなら、従来の箱型、或いは円筒形スピーカー装置のエンクロージャーは、木材,合成樹脂等の硬い材質でスピーカーボックスができている。振動板の後面から放射される音波及び振動は、エンクロージャーが硬い材質であるために、板振動或いは共振を起こしやすいのでそれが雑音波の発生となって高忠実度再生を阻害する要因となるからである。
【０００５】
この改善策として、そこで、エンクロージャーの重量を重くして振動を起こりにくくした。更に、エンクロージャー以外のスピーカー装置内部にも、錘を取り付ける等によりスピーカー装置を益々重くする方法があったが、
スピーカー装置は、合成樹脂製エンクロージャーや木製エンクロージャーでは振動による雑音波発生を防ぐため、それぞれの部品同士は強固に固定されていて解体することが難しく、スピーカーユニットのサイズ変更が容易でない等の構造的な欠点があった。
【特許文献１】特開２００１−２２４０８９号公報
【考案の開示】
【考案が解決しようとする課題】
【０００６】
解決しようとする問題点は、音波及び振動を減衰する材質である複数枚のシートに意匠を施して連結して用いたことにより、シートの表面又は裏面に意匠を施したシートの巻変えにより、デザイン変更が容易である。意匠を施してある各シートはエンクロージャーであるシートの表面が汚れてしまった場合、シートを分解し、シートを巻きなおすことにより、汚れた部分を内側にして別のシートを表面に入れ替えることができる。エンクロージャー表面の意匠によりデザインを変更使用ができる。
連結される複数のシートは、原則的に絨毯である。そのシートは音波及び振動を減衰する材質であることが必要であり、絨毯には限らず、タオル製マット、樹脂マット、ポリ塩化ビニルシート、不織布マット、スポンジシートであっても良い。これらの材料を用いてエンクロージャーを構成することにより、自然のままの音声を再生するスピーカー装置において障害となる再生の際にスピーカーボックスの材質に発生する振動による雑音波発生により高忠実度再生を妨げられる点である。
【課題を解決するための手段】
【０００７】
本考案は、スピーカーユニットの音声を常に高忠実度再生可能とするため、スピーカーユニットに垂直な方向に音波及び振動を減衰する材質の複数枚シートに意匠を施して連結して、渦巻状に形成される円筒形筒体を形成している音波及び振動を減衰するシートの表面又は裏面に施した意匠の表面が汚れてしまった場合に、分解し、シートを巻き直して、エンクロージャーの表面のデザインを容易に模様替えすることを最も主要な特徴とする。
【考案の効果】
【０００８】
本考案のスピーカー装置は、エンクロージャーを構成しているスピーカーボックスの合成樹脂や木材の材質を排除し、音波及び振動を減衰する材質の複数シートにそれぞれの意匠を施して、その複数枚のシートを連結して渦巻状に巻き上げた円筒形筒体を用いてエンクロージャーを構成することによって、出力する音声が合成樹脂や木材でなくエンクロージャーを構成している音波及び振動を減衰する材質の筒体で吸音できるので、振動や共振してその材質が反響音を発生する条件を排除して低音から高音まで高忠実度再生ができるものであり、スピーカー装置の据え置きや吊り下げなどの設置方法に応じて、いずれの設置方法にも使い分けられる、分解容易であり、移動時には軽量で持ち運び容易なスピーカー装置を提供するという利点がある。
【考案を実施するための最良の形態】
【０００９】
音波及び振動を減衰できる材質のシートを複数層に連結して巻上げて固定した円筒形筒体でエンクロジャーの枠体を渦巻状に構成し、スピーカーボックスを振動をさせることなくまたは可能な限り軽量で移動持ち運び容易なスピーカー装置を、軽量かつ最小の部品点数で構成して、前記の複数層に連結してある各シートには表面又は裏面の意匠を施して巻き上げてピン又はベルトで固定した円筒形筒体であるから、エンクロージャーの表面が汚れた場合にも各シートに分解再構成することが容易であるからエンクロージャーの斬新なデザインの変更可能なスピーカー装置を提供するという目的を、音響装置の高忠実度再生を損なわずに実現した。
【実施例１】
【００１０】
図１は、本考案装置の実施例１の縦断面図であって、Ａ，Ｂ，Ｃ３種類の絨毯シートを連結して巻き上げてある円筒形筒体で構成されたエンクロージャーを用いたスピーカー装置の実施方法を示した説明図である。
図２は、実施例１のＡ，Ｂ，Ｃそれぞれに斜線によって示す意匠デザインを施してあるシートの平面図であって、３種類の絨毯シートを連結して巻き上げてなるエンクロージャーを用いたスピーカー装置の実施方法を示した平面図である。
図１に示すスピーカー装置のエンクロージャーは、図２に示す絨毯Ａ１，絨毯Ｂ１０，絨毯Ｃ１１の３種類の絨毯を絨毯Ｃ１１下端より巻き上げたものである。これにより、完成品のスピーカーを横から見た場合、絨毯Ａ１のみが見え、絨毯Ｂ１０，絨毯Ｃ１１が中に巻き込まれ、絨毯Ｂ１０，絨毯Ｃ１１は横から見えない状態になる。絨毯Ｃ１１を見えるようにするためには、エンクロージャーを分解し、図２に示す絨毯Ａ１上端より巻き上げる。絨毯Ｂ１０を見えるようにするためには、絨毯Ａ１，絨毯Ｂ１０，絨毯Ｃ１１の連結を外し、絨毯Ａ１，絨毯Ｂ１０の位置を逆にして絨毯Ｂ１０上端より巻き上げることにより行うことができる。  
【００１１】
実施例１のスピーカー装置は、音波及び振動を減衰する材質である複数の絨毯シートを連結して該シートを複数層に巻き上げ、シートの巻き上げが解けるのを防止するためにシートにピンを差込み又はバンドを巻いて渦巻状に固定してなる円筒形状筒体にエンクロージャーを構成した。該筒体の空洞部７の中心に吸音材３を設け、概筒体の上面にスピーカーユニット２のフランジ８を設け、該筒体の下方にはグランド６に吸音シート５を敷き、吸音シートの上に下方に開口部９を有する支持台４を置き、その支持台の上に前記筒体を設置することを特徴とする。
【００１２】
図２の平面図に示すように３種類の絨毯シートＡ１，Ｂ１０，Ｃ１１は、それぞれにその表面又はその裏面に、斜線によって示す意匠デザインを有して、複数のシートは連結されていて、そのエンクロージャー表面が汚れた場合には渦巻状に巻き上げた円筒形状筒体を固定しているピン若しくはベルトを外して、分解したシートに分離して渦巻状に巻き直して再使用可能に構成されているエンクロージャーである。
【実施例２】
【００１３】
図３は、他の実施例２の断面図であって、４種類の絨毯を使ったエンクロージャーを作るための絨毯の実施方法を示した断面図である。この絨毯は４つの絨毯の裏地同士を貼り合わせ、連結したものである。
絨毯Ｄ１２を表面とするエンクロージャーを製作するときには絨毯Ｇ１５下端より絨毯Ｇ１５が内側になるように巻き上げる。
絨毯Ｅ１３を表面とするエンクロージャーを製作するときには絨毯Ｆ１４下端より絨毯Ｆ１４が内側になるように巻き上げる。
絨毯Ｆ１４を表面とするエンクロージャーを製作するときには絨毯Ｅ１３上端より絨毯Ｅ１３が内側になるように巻き上げる。
絨毯Ｇ１５を表面とするエンクロージャーを製作するときには絨毯Ｄ１２上端より絨毯Ｄ１２が内側になるように巻き上げる。
【００１４】
スピーカー装置は、音波及び振動を減衰する材質である複数シートＤ，Ｅ，Ｆ，Ｇからなる絨毯の背面同士を張り合わせて更に連結したシートを渦巻状筒体に構成したエンクロージャーであることを特徴とする。前記Ｄ，Ｅ，Ｆ，Ｇ各シートにはその表面若しくは裏面に意匠を施してあり、両面に意匠のデザインがなされている。
【実施例３】
【００１５】
図４は、その他の実施例３の実施方法の説明図であって、エンクロージャーの下面に設けたスピーカーユニット２を吊り下げ紐１６で天井１７に吊り下げたスピーカー装置を使用している実施方法を示した説明図である。
【実施例４】
【００１６】
実施例４のスピーカー装置は、音波及び振動を減衰する材質である複数シートを連結したシートの表面若しくは裏面に意匠のデザインを施したことを特徴とする。
【実施例５】
【００１７】
実施例５のスピーカー装置は、音波及び振動を減衰する材質である複数シートを連結したシートの表面及び裏面の両面に意匠のデザインを施したことを特徴とする。
【実施例６】
【００１８】
実施例６のスピーカー装置は、音波及び振動を減衰する材質である複数シートを連結したシートは、絨毯、タオル製マット、樹脂マット、ポリ塩化ビニルシート、不織布マット、スポンジシートのいずれか一の材質で作成されたシートの表面若しくは裏面、そしてその両面にも意匠のデザインを施してあることを特徴とする。
【産業上の利用可能性】
【００１９】
吸音材シートを巻き上げて渦巻状に形成した円筒形筒体を用いて構成されたエンクロージャーの振動を吸収できて、スピーカーボックスには樹脂製や木製でなく、錘を用いないので、軽量であり、製作が容易である。
使用者は、再生される音声が低音域から高音域まで聴くことが可能な出力を得られる。設置方法により据置き使用方法や天井吊り下げ使用方法を必要としている室内においては、スピーカー装置の据え置き、若しくは天井に吊り下げて使用する場合にも適用できる。
【図面の簡単な説明】
【００２０】
【図１】３種類の絨毯を連結して巻き上げてある円筒形筒体で構成されたエンクロージャーを用いたスピーカー装置の実施方法を示した説明図である。（実施例１）
【図２】３種類の絨毯を連結してなるシートに斜線によって示す意匠デザインを施してあるシートであって、スピーカー装置の実施方法を示した平面図である。（実施例１）
【図３】４種類の絨毯の裏面同士を張り合わせて端部を互いに連結してスピーカー装置のエンクロージャーを作るための絨毯の実施方法を示した断面図である。（実施例２）
【図４】スピーカーユニットに設けた吊り下げ紐で天井にスピーカー装置を吊り下げ使用している実施方法を示した説明図である。（実施例３）
【符号の説明】
【００２１】
１    絨毯Ａ
２    スピーカーユニット
３    吸音材
４    支持部材
５    吸音シート
６    グランド
７    空洞部
８    フランジ
９    開口部
１０    絨毯Ｂ
１１    絨毯Ｃ
１２    絨毯Ｄ
１３    絨毯Ｅ
１４    絨毯Ｆ
１５    絨毯Ｇ
１６    吊り下げ紐
１７    天井
【図１】
0003144377.tif 000003
【図２】
0003144377.tif 000004
【図３】
0003144377.tif 000005
【図４】
0003144377.tif 000006
【手続補正書】
【提出日】平成20年6月25日(2008.6.25)
【手続補正１】
【補正対象書類名】実用新案登録請求の範囲
【補正対象項目名】請求項２
【補正方法】変更
【補正の内容】
【請求項２】
請求項１に記載の音波及び振動を減衰する材質である複数シートはデザインが異なる三種の絨毯を連結したシートを渦巻状筒体に構成したエンクロージャーであることを特徴とするスピーカー装置。
【手続補正２】
【補正対象書類名】実用新案登録請求の範囲
【補正対象項目名】請求項３
【補正方法】変更
【補正の内容】
【請求項３】
請求項１に記載の音波及び振動を減衰する材質である複数シートはデザインが異なる四種の絨毯を背中合わせにして連結したシートを渦巻状筒体に構成したエンクロージャーであることを特徴とするスピーカー装置。